(57)【要約】【課題】  アンテナ特性の低下を防いで、アンテナ特性を安定させることができるアンテナ装置およびそれを備えた時計を提供する。【解決手段】  合成樹脂製のケース本体２と、このケース本体２の上部に設けられ、電波を受信する金属製の外装アンテナ部材３と、ケース本体２の側部に設けられたセンサ部１０と、このセンサ部１０を保護して外装アンテナ部材３に容量結合を強めて接続される保護接続部材であるセンサカバー１７と、を備えている。従って、外装アンテナ部材３にセンサカバー１７が容量結合を強めて接続されているので、外装アンテナ部材３にセンサカバー１７が接近して配置されていても、外装アンテナ部材３の電波受信に対するセンサ部１０による影響を抑えることができ、これによりアンテナ特性の低下を防いで、アンテナ特性を安定させることができる。【選択図】        図２
2020036358.tif 000002
【特許請求の範囲】
【請求項１】
合成樹脂製のケース本体と、
前記ケース本体の上部に設けられ、電波を受信するリング状に形成された金属製の外装アンテナ部材と、
前記ケース本体の側部に配設される電子部品を覆いつつ、前記外装アンテナ部材に対して容量結合を強めて接続される金属製の接続部材と、
を備えていることを特徴とするアンテナ装置。
【請求項２】
前記接続部材は、前記外装アンテナ部材に対向して配置される板状部材であることを特徴とする請求項１記載のアンテナ装置。
【請求項３】
前記接続部材は、前記外装アンテナ部材に接続された状態で接触抵抗が小さくなるように形成されていることを特徴とする請求項１または２に記載のアンテナ装置。
【請求項４】
前記接続部材は、前記電子部品の外部から前記ケース本体の上面に沿って延長された上、折り返されて前記外装アンテナ部材の下面に対向して配置された状態で接続されることを特徴とする請求項１〜請求項３のいずれかに記載のアンテナ装置。
【請求項５】
前記ケース本体と前記外装アンテナ部材との間に、前記接続部材が挿入される挿入溝部が挿入方向に長く設けられていることを特徴とする請求項４に記載のアンテナ装置。
【請求項６】
前記挿入溝部は、前記接続部材が挿入される挿入口の上下幅を広く、奥部に向かうに従って次第に狭く形成されていることを特徴とする請求項５に記載のアンテナ装置。
【請求項７】
前記電子部品と前記外装アンテナ部材との距離が短く設定されていることを特徴とする請求項１〜請求項６のいずれかに記載のアンテナ装置。
【請求項８】
前記電子部品は、前記ケース本体の外部環境を検出するセンサであることを特徴とする請求項１〜請求項７のいずれかに記載のアンテナ装置。
【請求項９】
請求項１〜請求項８のいずれかに記載されたアンテナ装置を備えていることを特徴とする時計。
【発明の詳細な説明】
【技術分野】
【０００１】
この発明は、腕時計などの電子機器に用いられるアンテナ装置およびそれを備えた時計に関する。
【背景技術】
【０００２】
例えば、腕時計においては、特許文献１に記載されているように、ケース本体の内部にアンテナを設けた構造のものが知られている。
【先行技術文献】
【特許文献】
【０００３】
【特許文献１】特開２０１５−１８４０９０号公報
【０００４】
このような腕時計では、ケース本体の側部に金属製のスイッチ釦が設けられ、このスイッチ釦を接続部材によってケース本体の下部に設けられた金属製の裏蓋に電気的に接続して、静電気対策を図っている。
【発明の概要】
【発明が解決しようとする課題】
【０００５】
このような腕時計では、ケース本体の内部にアンテナを設け、金属製のスイッチ釦を金属製の裏蓋に接続することにより、静電気対策を図ることができても、ケース本体の上部に金属製の外装アンテナ部材を設けた場合、スイッチ釦が外装アンテナ部材に接近して配置されるため、外装アンテナ部材による電波受信がスイッチ釦による影響を受け易く、アンテナ特性が低下し、アンテナ特性が不安定になるという問題がある。
【０００６】
この発明が解決しようとする課題は、アンテナ特性の低下を防いで、アンテナ特性を安定させることができるアンテナ装置およびそれを備えた時計を提供することである。
【課題を解決するための手段】
【０００７】
この発明は、合成樹脂製のケース本体と、前記ケース本体の上部に設けられ、電波を受信するリング状に形成された金属製の外装アンテナ部材と、前記ケース本体の側部に配設される電子部品を覆いつつ、前記外装アンテナ部材に対して容量結合を強めて接続される金属製の接続部材と、を備えていることを特徴とするアンテナ装置である。
【発明の効果】
【０００８】
この発明によれば、アンテナ特性の低下を防いで、アンテナ特性を安定させることができる。
【図面の簡単な説明】
【０００９】
【図１】この発明を腕時計に適用した一実施形態を示した拡大正面図であ    る。
【図２】図１に示された腕時計のＡ−Ａ矢視における要部を示した拡大断    面図である。
【図３】図２に示されたセンサ部におけるセンサカバーの接続部が外装ア    ンテナ部材に接触して接続された状態を示した要部の拡大断面図である。
【図４】図３に示されたセンサカバーの接続部を示した拡大斜視図である。
【発明を実施するための形態】
【００１０】
以下、図１〜図４を参照して、この発明を腕時計に適用した一実施形態について説明する。
この腕時計は、図１および図２に示すように、腕時計ケース１を備えている。この腕時計ケース１は、硬質の合成樹脂製のケース本体２と、ステンレスなどの金属製の外装アンテナ部材３と、を備えている。ケース本体２は、全体がほぼリング状に形成されている。
【００１１】
外装アンテナ部材３は、図１および図２に示すように、高周波（例えば、１５７５．４２ＭＨｚ）の電波を受信するＧＰＳ用のアンテナであり、ケース本体２とほぼ同じ形状のリング状に形成され、時計のベゼルとしても機能している。この外装アンテナ部材３は、ケース本体２の上部に防水リング３ａを介して複数のねじ４によって取り付けられている。
【００１２】
この腕時計ケース１の上部開口部、つまり外装アンテナ部材３の上部開口部には、図１および図２に示すように、時計ガラス５がガラスパッキン５ａを介して設けられている。この腕時計ケース１の下部、つまりケース本体２の下部には、裏蓋６が防水パッキン６ａを介して取り付けられている。裏蓋６は金属製に限らず、非金属製のセラミックなどで形成されていても良い。
【００１３】
また、この腕時計ケース１の１２時側と６時側との各側部には、図１に示すように、時計バンド（図示せず）が取り付けられるバンド取付部７が設けられている。この腕時計ケース１の３時側の側部には、スイッチ釦８が設けられており、この腕時計ケース１の９時側の側部、つまりケース本体２の９時側の側部には、図２に示すように、センサ部１０が設けられている。
【００１４】
この腕時計ケース１の内部、つまりケース本体２の内部には、図２に示すように、時計モジュール１１が設けられている。この時計モジュール１１は、指針を運針させて時刻を指示する時計ムーブメント、時刻などの情報を電気光学的に表示する表示部（いずれも図示せず）、これらを電気的に制御して駆動するための回路基板１２などの時計機能に必要な各種の電子部品を備えている。
【００１５】
ところで、センサ部１０は、図２に示すように、腕時計ケース１の外部の圧力を検出するためのものであり、ケース本体２に設けられた貫通孔１３内に設けられている。この貫通孔１３は、ケース本体２の内部側から外部側に向けて順に、小径孔１３ａ、中径孔１３ｂ、大径孔１３ｃが設けられている。
【００１６】
センサ部１０は、図２に示すように、腕時計ケース１の外部の圧力を検出する圧力センサ１４と、この圧力センサ１４を保護する保護板１５と、この保護板１５を押える押え板１６と、この押え板１６を覆って保護する保護接続部材であるセンサカバー１７と、を備えている。圧力センサ１４は、貫通孔１３の中径孔１３ｂ内に配置され、フレキシブルな配線基板１８によって時計モジュール１１の回路基板１２と電気的に接続されている。
【００１７】
保護板１５は、図２に示すように、中心部に通気孔１５ａが設けられた円板であり、圧力センサ１４の外面に位置した状態で、貫通孔１３の大径孔１３ｃ内にリング状の緩衝材１９を介して配置されている。押え板１６は、網目状のパネルであり、保護板１５の外面に位置した状態で、貫通孔の大径孔１３ｃ内に配置されて、保護板１５を圧力センサ１４に向けて押え付けるように構成されている。
【００１８】
すなわち、この押え板１６は、図２に示すように、保護板１５を圧力センサ１４に向けて押し付け、この押し付けられた保護板１５によって緩衝材１９を圧力センサ１４に押し付けるように構成されている。これにより、圧力センサ１４は、貫通孔１３の小径孔１３ａの縁部に押し付けられた状態で、中径孔１３ｂ内に固定されている。
【００１９】
一方、センサカバー１７は、図２および図３に示すように、保護接続部材であり、押え板１６を覆ってケース本体２の外面に配置される保護部２０と、外装アンテナ部材３に電気的に接続される接続部２１と、を備えている。このセンサカバー１７は、ステンレスなどの金属製の薄板の板状部材によって形成され、保護部２０と接続部２１とが一体に形成されている。保護部２０は、金属製の薄板に多数の小孔２０ａが設けられ、押え板１６を覆ってケース本体２の外面に設けられている。
【００２０】
接続部２１は、図２〜図４に示すように、外装アンテナ部材３に対向して配置されており、容量結合を強めて外装アンテナ部材３に接続されている。この場合、容量結合の容量は、面積に比例し、距離に反比例する。また、結合インピーダンスは、容量に反比例し、かつ周波数にも反比例する。
【００２１】
この場合、容量結合の容量Ｃ、真空の誘電率ε<SUB>０</SUB>、接触面積Ｓ、センサ部１０と外装アンテナ部材３との間隔（距離）ｄの関係は、
Ｃ＝ε<SUB>０</SUB>・（Ｓ／ｄ）である。
【００２２】
このため、接続部２１は、外装アンテナ部材３に対する接触面積が広く、かつ外装アンテナ部材３に対する接触抵抗が小さくなるように形成されている。また、センサ部１０と外装アンテナ部材３との距離は、短くなるように設定されている。
【００２３】
この場合、接続部２１は、図２および図３に示すように、センサカバー１７の保護部２０からケース本体２の外面に沿ってケース本体２の上部に向けて延びて、ケース本体２と外装アンテナ部材３との間に設けられた挿入溝部２２に挿入された上、この挿入溝部２２内で折り返されて外装アンテナ部材３の下面に弾力的に面接触または一部が接触して近接しているように構成されている。
【００２４】
すなわち、この接続部２１は、図２〜図４に示すように、ステンレスなどの金属製の薄板で、幅広の帯板状をなし、センサカバー１７の保護部２０からケース本体２の外面に沿って立ち上る連結部２１ａと、この連結部２１ａの先端で折り曲げられて挿入溝部２２内に挿入される延長部２１ｂと、この延長部２１ｂの先端部の折返し部２１ｄで折り返されて外装アンテナ部材３の下面に弾接する接触部２１ｃと、を備えている。
【００２５】
また、接続部２１の面積または外装アンテナ部材３の下面に弾接する接触部２１ｃの面積は、保護部２０の面積に対して所定の大きさが必要であり、接続部２１の面積または接触部２１ｃの面積は、保護部２０の面積の１０％以上の面積となっている。
【００２６】
この場合、ケース本体２と外装アンテナ部材３との間の挿入溝部２２は、図２および図３に示すように、ケース本体２の上面に設けられた延長溝２３と、外装アンテナ部材３の下面に設けられた接続溝２４と、を備え、これらが互いに対応した状態で、センサカバー１７における接続部２１の挿入方向に長く形成されている。また、この挿入溝部２２は、接続部２１が挿入する挿入口の上下幅が広く、奥部に向かうに従って次第に狭く形成されている。
【００２７】
この場合、ケース本体２の上面に設けられた延長溝２３は、図３に示すように、ケース本体２の外面側から内面側に向けて次第に深くなる形状で、溝幅が接続部２１の幅よりも少し広く形成されている。これにより、延長溝２３は、接続部２１の延長部２１ｂが挿入された際に、延長部２１ｂの先端部で接触部２１ｃが容易に折り返されるように構成されている。
【００２８】
また、外装アンテナ部材３の下面に設けられた接続溝２４は、図３に示すように、ケース本体２の延長溝２３に対応して設けられている。この接続溝２４は、外装アンテナ部材３の内周側から外周側に向けて次第に高く（深く）なる形状で、ケース本体２の延長溝２３と同様、溝幅が接続部２１の幅よりも少し広い幅広に形成されている。
【００２９】
これにより、この接続溝２４は、図３に示すように、内部の上面が接続面２４ａに形成され、この接続面２４ａが外装アンテナ部材３の内周側から外周側に向けて次第に高くなる傾斜面に形成されている。このため、この接続溝２４は、接続部２１の接触部２１ｃが延長部２１ｂの先端部の折返し部２１ｄで折り返された際に、この折り返された接触部２１ｃのほぼ全面が接続面２４ａに面接触状態で弾力的に接触するように構成されている。
【００３０】
このため、この接続部２１は、図２〜図４に示すように、外装アンテナ部材３に対する接触面積が広く、かつ外装アンテナ部材３に対する接触抵抗が小さく形成されている。また、センサ部１０は、センサカバー１７の保護部２０と外装アンテナ部材３との距離が短くなるように配置されている。
【００３１】
次に、このような腕時計の作用について説明する。
この腕時計を組み立てる場合には、予め、外装アンテナ部材３の上部開口部にガラスパッキン５ａを介して時計ガラス５を取り付ける。この外装アンテナ部材３をケース本体２の上部に防水リング３ａを介して配置して複数のねじ４によって取り付ける。このときには、外装アンテナ部材３の下面に設けられた接続溝２４とケース本体２の上端部に設けられた延長溝２３とを対応させる。これにより、ケース本体２と外装アンテナ部材３との間に挿入溝部２２が形成される。
【００３２】
この状態で、センサ部１０をケース本体２の側部に設けられた貫通孔１３に取り付ける。すなわち、センサ部１０の圧力センサ１４をケース本体２の貫通孔１３の中径孔１３ｂ内に大径孔１３ｃ側から挿入させて配置する。このときには、予め、圧力センサ１４にフレキシブルな配線基板１８を接続し、この配線基板１８を圧力センサ１４と共に貫通孔１３に挿入させてケース本体２の内部に送り込む。
【００３３】
そして、貫通孔１３の大径孔１３ｃ内に保護板１５を緩衝材１９と共に挿入させて、圧力センサ１４の外面に保護板１５を緩衝材１９と共に配置する。この状態で、押え板１６を貫通孔１３の大径孔１３ｃ内に配置して保護板１５を圧力センサ１４に押し付ける。これにより、圧力センサ１４が貫通孔１３の中径孔１３ｂ内に固定される。そして、押え板１６を覆ってセンサカバー１７の保護部２０をケース本体２の外面に配置させる。
【００３４】
これにより、センサ部１０がケース本体２の貫通孔１３に組み付けられている。この状態では、センサカバー１７の保護部２０に設けられた多数の小孔２０ａ、網目状の押え板１６、保護板１５の通気孔１５ａを通して、腕時計ケース１の外部の圧力が圧力センサ１４に加わる。このため、この圧力センサ１４は、腕時計ケース１の外部の圧力を検出することができる。
【００３５】
また、センサカバー１７の保護部２０をケース本体２の外面に配置させる際には、接続部２１の延長部２１ｂと接触部２１ｃとをケース本体２と外装アンテナ部材３との間に設けられた挿入溝部２２に挿入させる。このときには、挿入溝部２２がセンサカバー１７における接続部２１の挿入方向に長く形成され、かつ接続部２１が挿入する挿入口の上下幅が広く、奥部に向かうに従って次第に狭く形成されていることにより、接続部２１の延長部２１ｂと接触部２１ｃとが挿入溝部２２に円滑にかつ容易に挿入される。
【００３６】
この場合には、ケース本体２の延長溝２３が外周側から内周側に向けて次第に深く形成されているが、外装アンテナ部材３の接続溝２４が内周側から外周側に向けて次第に高く（深く）形成されているので、接続部２１の折返し部２１ｄがケース本体２の延長溝２３の深い奥部に配置されるので、接続部２１の延長部２１ｂと接触部２１ｃとが挿入溝部２２内に容易にかつ良好に挿入される。
【００３７】
また、接続部２１の延長部２１ｂと接触部２１ｃとが挿入溝部２２に挿入された際には、折返し部２１ｄがばね部として機能し、この折返し部２１ｄのばね性によって、折り返された接触部２１ｃのほぼ全面が接続溝２４内に傾斜して設けられた接続面２４ａに面接触で弾接する。このため、外装アンテナ部材３に接続部２１が確実に接続されると共に、外装アンテナ部材３に対する接続部２１の接触面積が広くなり、接触抵抗が小さくなる。
【００３８】
この後、ケース本体２の内部に時計モジュール１１を組み込む。このときには、予め、時計モジュール１１の回路基板１２に圧力センサ１４のフレキシブルな配線基板１８を接続する。そして、ケース本体２の下部に裏蓋６を防水パッキン６ａと共に取り付ける。これにより、腕時計が組み立てられる。
【００３９】
このように組み立てられた腕時計では、腕時計ケース１が合成樹脂製のケース本体２とこのケース本体２の上部に設けられた金属製の外装アンテナ部材３とで構成されているので、この外装アンテナ部材３によって電波を良好に受信することができる。また、この腕時計では、ケース本体２の９時側の側部にセンサ部１０が設けられているので、このセンサ部１０の圧力センサ１４によって腕時計ケース１の外部の圧力を良好に検出することができる。
【００４０】
この場合、センサ部１０は、ケース本体２の側部に設けられた貫通孔１３内に圧力センサ１４が緩衝材１９を介して保護板１５によって保護され、この保護板１５が押え板１６によって圧力センサ１４に押し付けられ、これにより圧力センサ１４が貫通孔１３内に固定されているので、腕時計ケース１の外部の圧力を確実にかつ良好に検出することができる。
【００４１】
また、このセンサ部１０は、保護接続部材であるセンサカバー１７の保護部２０がケース本体２の外面に取り付けられて押え板１６を覆った状態で、センサカバー１７の接続部２１が外装アンテナ部材３に容量結合を強めて接続されるので、センサ部１０が外装アンテナ部材３に接近して配置されていても、外装アンテナ部材３による電波受信がセンサ部１０による影響を受けずに、外装アンテナ部材３で電波を良好に受信することができる。また、静電気対策も図ることができる。
【００４２】
すなわち、センサカバー１７の接続部２１は、外装アンテナ部材に対する接触面積が広くなるように形成されていることにより、外装アンテナ部材３に対して容量結合を強めて接続することができる。このため、センサ部１０が外装アンテナ部材３に接近して配置されていても、外装アンテナ部材３の電波受信に対するセンサ部１０による影響を抑えることができる。また、センサカバー１７の接続部２１と外装アンテナ部材３との確実な接続により、静電気の経路が確実に設けられ、静電気対策も図ることができる。
【００４３】
この場合、センサカバー１７の接続部２１は、ステンレスなどの金属製の薄板で、幅広の帯板状をなし、センサカバー１７の保護部２０からケース本体２の外面に沿って立ち上る連結部２１ａの先端で折り曲げられてケース本体２と外装アンテナ部材３との間の挿入溝部２２に挿入される延長部２１ｂと、この延長部２１ｂの先端部の折返し部２１ｄで折り返されて外装アンテナ部材３の接続面２４ａに弾接する接触部２１ｃと、を備えているので、外装アンテナ部材３に対する接触面積を広くし、かつ確実に接続することができる。
【００４４】
すなわち、挿入溝部２２は、ケース本体２の上面の延長溝２３と、外装アンテナ部材３の下面の接続溝２４と、を備え、これらがセンサカバー１７の接続部２１の挿入方向に長く形成され、かつ接続部２１の挿入口の上下幅が広く、奥部に向かうに従って次第に狭く形成されていることにより、接続部２１の延長部２１ｂと接触部２１ｃとが挿入溝部２２に円滑にかつ容易に挿入される。このため、センサカバー１７の接続部２１を挿入溝部２２内に挿入させるだけで良いので、組立作業性が良い。
【００４５】
すなわち、接続部２１は、挿入溝部２２の延長部２１ｂがケース本体２の延長溝２３内に挿入されて、接触部２１ｃが折返し部２１ｄで折り返されて外装アンテナ部材３の接続面２４ａに面接触で弾接するので、外装アンテナ部材３に対する接触部２１ｃの接触面積を広くし、かつ外装アンテナ部材３に確実に接触されて接続されるので、外装アンテナ部材３に対して容量結合を強めて接続することができる。
【００４６】
この場合、ケース本体２の延長溝２３は、ケース本体２の外面側から内面側に向けて次第に深くなる形状に形成されていることにより、接続部２１の延長部２１ｂが挿入された際に、延長溝２３内において接触部２１ｃが折返し部２１ｄによって容易にかつ円滑に折り返えされる。また、外装アンテナ部材３の接続溝２４は、外装アンテナ部材３の内周側から外周側に向けて次第に高く（深く）なる形状に形成されていることにより、折返し部２１ｄのばね性によって接触部２１ｃが接続溝２４内の接続面２４ａに広い面積で確実にかつ良好に接触される。
【００４７】
この場合、接続溝２４内の接続面２４ａは、外装アンテナ部材３の内周側から外周側に向けて次第に高くなる傾斜面に形成されているため、延長溝２３内において折返し部２１ｄで折り返された接触部２１ｃが外装アンテナ部材３に接触する際に、折返し部２１ｄのばね性によって接触部２１ｃのほぼ全面が接続溝２４内の接続面２４ａの全体に面接触状態で弾力的に接触されるので、接触部２１ｃが外装アンテナ部材３に広い面積で確実にかつ良好に接触される。
【００４８】
このため、この接続部２１は、外装アンテナ部材３に対する接触面積が広く、外装アンテナ部材３に対する接触抵抗が小さく、かつ折返し部２１ｄのばね性によって確実に接続されるので、外装アンテナ部材３に対して容量結合を強めて接続することができる。また、センサ部１０は、外装アンテナ部材３との距離が短く配置されていても、接続部２１を折り返して外装アンテナ部材３に接触させていることにより、外装アンテナ部材３に対する接触面積を広くすることができる。
【００４９】
このように、この腕時計によれば、合成樹脂製のケース本体２と、このケース本体２の上部に設けられ、電波を受信する金属製の外装アンテナ部材３と、ケース本体２の側部に設けられたセンサ部１０と、このセンサ部１０を保護して外装アンテナ部材３に容量結合を強めて接続される保護接続部材であるセンサカバー１７と、を備えていることにより、アンテナ特性の低下を防いで、アンテナ特性を安定させることができる。また、静電気対策も図ることができる。
【００５０】
すなわち、この腕時計では、外装アンテナ部材３にセンサカバー１７が容量結合を強めて接続されていることにより、外装アンテナ部材３にセンサ部１０が接近して配置されていても、外装アンテナ部材３の電波受信に対するセンサ部１０による影響を抑えることができるので、アンテナ特性の低下を防いで、アンテナ特性を安定させることができる。
【００５１】
この場合、センサカバー１７は、外装アンテナ部材３に対する接触面積が広くなるように形成されていることにより、容量結合を強めてセンサカバー１７を外装アンテナ部材３に接続することができるので、外装アンテナ部材３の電波受信に対するセンサ部１０による影響を確実に抑えることができ、これによりアンテナ特性の低下を防いで、アンテナ特性を安定させることができる。
【００５２】
また、このセンサカバー１７は、外装アンテナ部材３に対する接触面積が広くなるように形成されていることにより、外装アンテナ部材３に対するセンサカバー１７の接触抵抗を小さくすることができ、これによっても容量結合を強めてセンサカバー１７を外装アンテナ部材３に接続することができるので、更にアンテナ特性の低下を防いで、アンテナ特性を安定させることができる。
【００５３】
また、この腕時計では、センサカバー１７の接続部２１が、センサ部１０の外部からケース本体２の上面に沿って延長された上、折り返されて外装アンテナ部材３の下面に面接触していることにより、外装アンテナ部材３に対する接続部２１の接触面積を広くすることができる。
【００５４】
すなわち、センサカバー１７の接続部２１は、ステンレスなどの金属製の薄板で、幅広の帯板状をなし、センサカバー１７の保護部２０からケース本体２の外面に沿って立ち上る連結部２１ａと、この連結部２１ａの先端からケース本体２の上面に沿って延長された延長部２１ｂと、この延長部２１ｂの先端部の折返し部２１ｄで折り返されて外装アンテナ部材３の下面に面接触で弾接する接触部２１ｃと、を備えているので、外装アンテナ部材３に対する接触面積を確実に広くすることができる。
【００５５】
また、この腕時計では、ケース本体２と外装アンテナ部材３との間にセンサカバー１７の接続部２１が挿入する挿入溝部２２が挿入方向に長く設けられていることにより、接続部２１の延長部２１ｂを長く形成することができ、これにより折返し部２１ｄで折り返された接触部２１ｃを長く形成することができ、これにより外装アンテナ部材３に対する接触部２１ｃの接触面積を確実に広くすることができる。
【００５６】
また、挿入溝部２２は、接続部２１の挿入口の上下幅が広く、奥部に向かうに従って次第に狭く形成されていることにより、外装アンテナ部材３をケース本体２の上部に取り付けた状態で、センサカバー１７の接続部２１を挿入溝部２２内に容易にかつ円滑に挿入させることができるので、組立作業性が良く、低コスト化を図ることができる。
【００５７】
この場合、接続部２１の延長部２１ｂと接触部２１ｃとは、挿入溝部２２の延長溝２３に挿入された際に、延長溝２３の奥部が深く形成されていることにより、この延長溝２３内において接触部２１ｃを折返し部２１ｄで確実にかつ良好に折り返えすことができるので、接触部２１ｃを外装アンテナ部材３の接続面２４ａに確実にかつ良好に面接触状態で弾接させることができる。
【００５８】
また、外装アンテナ部材３の下面に位置する挿入溝部２２の接続溝２４は、外装アンテナ部材３の内周側から外周側に向けて深く形成され、その内部に接続面２４ａが傾斜して設けられていることにより、接続部２１における延長部２１ｂが延長溝２３に挿入して、接触部２１ｃが折返し部２１ｄで折り返された際に、折返し部２１ｄのばね性によって接触部２１ｃを接続溝２４内に傾斜して設けられた接続面２４ａに確実にかつ良好に接触させることができる。
【００５９】
さらに、この腕時計では、センサ部１０と外装アンテナ部材３との距離が短く設定されていることにより、これによっても容量結合を強めてセンサカバー１７を外装アンテナ部材３に接続することができるので、外装アンテナ部材３の電波受信に対するセンサ部１０による影響を抑えることができるので、アンテナ特性の低下を防いで、アンテナ特性を安定させることができる。
【００６０】
この場合、この腕時計では、センサ部１０と外装アンテナ部材３との距離が短くても、接続部２１を折り返して外装アンテナ部材３に接触させていることにより、外装アンテナ部材３に対する接触面積を広くすることができると共に、接触抵抗を小さくすることができるので、外装アンテナ部材３の電波受信に対するセンサ部１０による影響を抑えることができ、これによってもアンテナ特性の低下を防いで、アンテナ特性を安定させることができる。
【００６１】
なお、上述した実施形態では、センサカバー１７の接続部２１の接触部２１ｃを外装アンテナ部材３の下面に設けられた接続溝２４の接続面２４ａに弾接させた場合について述べたが、この発明は、これに限らず、例えば楔形状の押え片を接続部２１の延長部２１ｂと接触部２１ｃとの間に差し込んで、接触部２１ｃを接続溝２４の接続面２４ａに圧接させても良い。また、この発明は、これに限らず、例えば組立作業性を考慮しなければ、ビスで接触部２１ｃを接続溝２４の接続面２４ａに押し付けても良い。
【００６２】
上述した実施形態では、接続部２１と外装アンテナ部材３は面接触に限らず、近接していれば接続部２１は、容量結合を強めて外装アンテナ部材３に接続できるので、接続部２１と外装アンテナ部材３の間には非接触部分があっても良い。
【００６３】
また、上述した実施形態では、センサ部１０が圧力センサ１４を備えている場合について述べたが、この発明は、これに限らず、例えば温度センサなどの腕時計ケース１の外部環境を検出するセンサであっても良い。また、この発明は、必ずしもセンサである必要ななく、スピーカやマイクロホーンなどの電子部品であっても良く、またスイッチ釦８であっても良い。
【００６４】
さらに、上述した実施形態では、腕時計に適用した場合について述べたが、必ずしも腕時計である必要はなく、例えばトラベルウオッチ、目覚まし時計、置き時計、掛け時計などの各種の時計に適用することができる。また、この発明は、必ずしも時計である必要はなく、携帯電話機、携帯端末機などの各種の電子機器にも適用することができる。
【００６５】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６６】
（付記）
請求項１に記載の発明は、合成樹脂製のケース本体と、前記ケース本体の上部に設けられ、電波を受信する金属製の外装アンテナ部材と、前記ケース本体の側部に設けられた電子部品と、前記電子部品を保護する保護部と前記外装アンテナ部材に接続される接続部を備える保護接続部材と、を備えていることを特徴とするアンテナ装置である。
【００６７】
請求項２に記載の発明は、請求項１に記載のアンテナ装置において、前記保護接続部材は、板状部材からなり、前記接続部は、前記外装アンテナ部材に対向して配置されていることを特徴とするアンテナ装置である。
【００６８】
請求項３に記載の発明は、請求項１または請求項２に記載のアンテナ装置において、前記保護接続部材は、前記外装アンテナ部材に対する接触抵抗が小さくなるように形成されていることを特徴とするアンテナ装置である。
【００６９】
請求項４に記載の発明は、請求項１〜請求項３のいずれかに記載のアンテナ装置において、前記保護接続部材は、前記外装アンテナ部材に接続される接続部が、前記電子部品の外部から前記ケース本体の上面に沿って延長された上、折り返されて前記外装アンテナ部材の下面に対向して配置されることを特徴とするアンテナ装置である。
【００７０】
請求項５に記載の発明は、請求項４に記載のアンテナ装置において、前記ケース本体と前記外装アンテナ部材との間には、前記保護接続部材の前記接続部が挿入する挿入溝部が挿入方向に長く設けられていることを特徴とするアンテナ装置である。
【００７１】
請求項６に記載の発明は、請求項５に記載のアンテナ装置において、前記挿入溝部は、前記接続部が挿入する挿入口の上下幅が広く、奥部に向かうに従って次第に狭く形成されていることを特徴とするアンテナ装置である。
【００７２】
請求項７に記載の発明は、請求項１〜請求項６のいずれかに記載のアンテナ装置において、前記電子部品と前記外装アンテナ部材との距離が短く設定されていることを特徴とするアンテナ装置である。
【００７３】
請求項８に記載の発明は、請求項１〜請求項７のいずれかに記載のアンテナ装置において、前記電子部品は、前記ケース本体の外部環境を検出するセンサであることを特徴とするアンテナ装置である。
【００７４】
請求項９に記載の発明は、請求項１〜請求項８のいずれかに記載されたアンテナ装置を備えていることを特徴とする時計である。
【符号の説明】
【００７５】
１  腕時計ケース
２  ケース本体
３  外装アンテナ部材
８  スイッチ釦
１０  センサ部
１１  時計モジュール
１２  回路基板
１３  貫通孔
１４  圧力センサ
１７  センサカバー
２０  保護部
２１  接続部
２１ａ  連結部
２１ｂ  延長部
２１ｃ  接触部
２２  挿入溝部
２３  延長溝
２４  接続溝
２４ａ  接続面
【図１】
2020036358.tif 000003
【図２】
2020036358.tif 000004
【図３】
2020036358.tif 000005
【図４】
2020036358.tif 000006